(57)【要約】【課題】二つ折り式の本体ケース内にＩＣチップ及びアンテナ部を組込んで構成されるものにあって、リーダライタから大きな電力を得ることを可能とする。【解決手段】携帯電話機１の本体ケース２を構成する第１本体部３内に、ＩＣチップ及び第１のアンテナパターン９を配設し、その両端の接続部９ａをヒンジ部５に位置させる。ヒンジ部５部分に、接続部９ａに接続可能な被接続部１０ａを有する第２のアンテナパターンを設ける。第２本体部４内に、接続部９ａに接続可能な被接続部１１ａを有する第３のアンテナパターン１１を設ける。本体ケース２の折畳み状態で、第１のアンテナパターン９と第２のアンテナパターンとが接続され小径な第１のアンテナ部１２が構成される。本体ケース２を開いた状態では、第１のアンテナパターン９と第３のアンテナパターン１１とが接続され、大径な第２のアンテナ部が構成される。【選択図】図２
2007324839.tif 000002
【特許請求の範囲】
【請求項１】
第１本体部と第２本体部とをヒンジ部を介して開閉可能に連結した二つ折り式の本体ケース内に、ＩＣチップ及びアンテナ部を組込んで構成され、リーダライタとの間で非接触通信を行う非接触通信デバイスであって、
前記第１本体部には、前記ＩＣチップ、及び、このＩＣチップに接続され両端が接続部とされた第１のアンテナパターンが配設され、
前記第２本体部或いはヒンジ部には、前記第１のアンテナパターンの接続部と夫々接続可能な被接続部を両端に有する第２のアンテナパターンが配設され、
前記第２本体部には、前記第１のアンテナパターンの接続部と夫々接続可能な被接続部を両端に有すると共に、前記第２のアンテナパターンよりも長い第３のアンテナパターンが配設され、
前記本体ケースの折畳み状態では、前記第１のアンテナパターンと第２のアンテナパターンとが接続されることにより、小径なループ状のアンテナ部が構成され、
前記本体ケースを開いた状態では、前記第１のアンテナパターンと第３のアンテナパターンとが接続されることにより、大径なループ状のアンテナ部が構成されることを特徴とする非接触通信デバイス。
【請求項２】
前記第１のアンテナパターンの接続部、並びに、前記第２のアンテナパターン及び第３のアンテナパターンの被接続部は、前記ヒンジ部の内部に配置されることを特徴とする請求項１記載の非接触通信デバイス。
【請求項３】
前記ヒンジ部は、前記第２本体部に接続され内周側に位置する軸筒部と、前記第１本体部に接続され前記軸筒部の外周に相対回動可能に設けられる円筒部とを有して構成され、
前記軸筒部に、前記第２のアンテナパターン及び第３のアンテナパターンの被接続部が設けられると共に、前記円筒部に、前記第１のアンテナパターンの接続部が設けられることを特徴とする請求項２記載の非接触通信デバイス。
【請求項４】
前記ヒンジ部は、回動軸方向に並ぶように分割された３つ以上のヒンジ形成部分が、軸方向に交互に前記第１本体部及び第２本体部に接続されるように構成され、
そのうち前記第１本体部に接続され外側に位置する２つのヒンジ形成部分に、前記第１のアンテナパターンの接続部が設けられると共に、それら２つのヒンジ形成部分の内側に位置するヒンジ形成部分に、前記第２のアンテナパターン及び第３のアンテナパターンの被接続部が設けられることを特徴とする請求項２記載の非接触通信デバイス。
【請求項５】
前記接続部と被接続部とは、一方が凹、他方が凸となる係合構造を備えると共に、それらの係合が弾性的になされるように構成されていることを特徴とする請求項１ないし４のいずれかに記載の非接触通信デバイス。
【請求項６】
前記アンテナ部は、多重巻きコイルから構成されることを特徴とする請求項１ないし５のいずれかに記載の非接触通信デバイス。
【請求項７】
前記各アンテナパターンのうち、少なくとも前記接続部及び被接続部を除いた部分は、前記本体ケースに対する印刷により形成されていることを特徴とする請求項１ないし６のいずれかに記載の非接触通信デバイス。
【発明の詳細な説明】
【技術分野】
【０００１】
本発明は、第１本体部と第２本体部とをヒンジ部を介して開閉可能に連結した二つ折り式の本体ケース内に、ＩＣチップ及びアンテナ部を組込んで構成され、リーダライタとの間で非接触通信を行う非接触通信デバイスに関する。
【背景技術】
【０００２】
近年、この種の非接触通信デバイスとして、非接触ＩＣカード（電子マネー）の機能を内蔵した「おサイフケータイ」と称される携帯電話機（ｉＤクレジット）が供されてきている。この携帯電話機は、例えば二つ折り式の本体ケースのうち、キー操作部を有する側のケース内に、リーダライタとの間で電磁波による通信を行うためのアンテナコイルと、このアンテナコイルに接続され前記リーダライタに対するデータ通信処理やデータの保持等を行うためのＩＣチップとを組込んで構成されている（例えば特許文献１参照）。前記ＩＣチップは、リーダライタの給電用信号から動作電源を得るための整流・平滑回路、通信等の制御を行うＣＰＵ、送受信信号の変調，復調を行う変復調回路、ＩＤ情報や電子マネー情報を記憶したメモリなどをワンチップ化して構成されている。
【０００３】
前記リーダライタは、例えばスーパーやコンビニ等のＰＯＳレジ部分（或いは鉄道の駅の改札ゲート等）に設けられ、読取部の内部に、前記携帯電話機（非接触ＩＣカード）との間での電磁波による通信を行うためのアンテナ、このアンテナに接続された送信回路及び受信回路、それらに接続された通信制御回路などを備えて構成されている。これにより、前記携帯電話機の本体ケースが読取部に近接された状態で、アンテナコイルに対して電磁波による電力供給が行われると共に、前記ＩＣチップとの間でデータの通信（読取り及び書込み）が行われ、以て、決済（支払い）処理等が行われるようになっている。
【特許文献１】特開２００５−２０４１８８号公報
【発明の開示】
【発明が解決しようとする課題】
【０００４】
ところで、この種の非接触ＩＣカードにあっては、実行する処理によって必要な電力が異なってくる。例えば、データの書込み処理は、データの読取り処理に比べて大きな電力を必要とする。この場合、大きな電力を得るためには、径の大きなアンテナコイルを使用するか、あるいは、通信時にアンテナコイルをリーダライタのアンテナにより近付ける必要が生ずる。
【０００５】
ところが、上記した非接触ＩＣカード機能付きの携帯電話機においては、アンテナコイルは、二つ折り式の本体ケースのうち、キー操作部を有する側のケース内に組込まれるものであるため、アンテナコイルの大きさが一方のケースの大きさまでに制限され、アンテナコイルをさほど大きくすることはできない。また、携帯電話機をリーダライタに近づけた際の、アンテナコイルとリーダライタのアンテナとの間の距離についても制限がある。このため、携帯電話機とリーダライタとの間での通信時に、携帯電話機のＩＣチップからのデータの読取りは成功するものの、データの書込みに失敗してしまう虞があった。
【０００６】
本発明は上記事情に鑑みてなされたもので、その目的は、二つ折り式の本体ケース内にＩＣチップ及びアンテナ部を組込んで構成され、リーダライタとの間で非接触通信を行うものにあって、リーダライタから大きな電力を得ることを可能とする非接触通信デバイスを提供するにある。
【課題を解決するための手段】
【０００７】
上記目的を達成するために、本発明の非接触通信デバイスは、第１本体部と第２本体部とをヒンジ部を介して開閉可能に連結した二つ折り式の本体ケース内に、ＩＣチップ及びアンテナ部を組込んで構成され、リーダライタとの間で非接触通信を行う非接触通信デバイスであって、前記第１本体部には、前記ＩＣチップ、及び、このＩＣチップに接続され両端が接続部とされた第１のアンテナパターンが配設され、前記第２本体部或いはヒンジ部には、前記第１のアンテナパターンの接続部と夫々接続可能な被接続部を両端に有する第２のアンテナパターンが配設され、前記第２本体部には、前記第１のアンテナパターンの接続部と夫々接続可能な被接続部を両端に有すると共に、前記第２のアンテナパターンよりも長い第３のアンテナパターンが配設され、前記本体ケースの折畳み状態では、前記第１のアンテナパターンと第２のアンテナパターンとが接続されることにより、小径なループ状のアンテナ部が構成され、前記本体ケースを開いた状態では、前記第１のアンテナパターンと第３のアンテナパターンとが接続されることにより、大径なループ状のアンテナ部が構成されるところに特徴を有する（請求項１の発明）。
【０００８】
これによれば、本体ケースを開いた状態では、第１本体部の第１のアンテナパターンと、第２本体部の第３のアンテナパターンとが接続されることにより、どちらか一方の本体部の大きさを越えた大径なループ状のアンテナ部を構成することができる。これに対し、本体ケースの折畳み状態では、前記第１のアンテナパターンと、第２本体部或いはヒンジ部に設けられた第２のアンテナパターンとが接続されることにより、小径なループ状のアンテナ部が構成される。つまり、本体ケースの開閉状態を変更することによって、径の相違するいわば２種類のアンテナ部の切替えを行うことができる。
【０００９】
従って、本体ケースを開いた状態でリーダライタとの間の通信を行うことにより、大径なアンテナ部によってリーダライタから大きな電力を得ることが可能となり、ひいては、ＩＣチップに対するデータの書込みも良好に行うことができる。また、データの読取りだけのような、さほど大きな電力を必要としない場合には、本体ケースを折畳んだままでも、小径なアンテナ部によってリーダライタとの間で通常の通信を行うことができ、利便性を確保することができる。
【００１０】
このとき、第１のアンテナパターンの接続部、並びに、第２のアンテナパターン及び第３のアンテナパターンの被接続部を、本体ケースのヒンジ部の内部に配置することができる（請求項２の発明）。これによれば、本体ケースを開閉する際のヒンジ部の相対移動に伴い、アンテナパターンの接続の切替えを容易に行わせることができ、そのための構成を比較的簡単に済ませることができる。
【００１１】
より具体的には、上記ヒンジ部が、第２本体部に接続され内周側に位置する軸筒部と、第１本体部に接続され前記軸筒部の外周に相対回動可能に設けられる円筒部とを有して構成される場合には、前記軸筒部に、前記第２のアンテナパターン及び第３のアンテナパターンの被接続部を設けると共に、前記円筒部に、前記第１のアンテナパターンの接続部を設ける構成とすることができる（請求項３の発明）。
【００１２】
或いは、ヒンジ部が、回動軸方向に並ぶように分割された３つ以上のヒンジ形成部分を、軸方向に交互に第１本体部及び第２本体部に接続して構成される場合には、そのうち第１本体部に接続され外側に位置する２つのヒンジ形成部分に、前記第１のアンテナパターンの接続部を設けると共に、それら２つのヒンジ形成部分の内側に位置するヒンジ形成部分に、前記第２のアンテナパターン及び第３のアンテナパターンの被接続部を設ける構成とすることができる（請求項４の発明）。いずれも、比較的簡単な構成で、アンテナパターンの接続の切替えを実現することができる。
【００１３】
本発明においては、上記接続部と被接続部とを、一方が凹、他方が凸となる係合構造を備えると共に、それらの係合が弾性的になされるように構成することができる（請求項５の発明）。これにより、接続部と被接続部との接続の切替えをスムーズに行うことができながらも、接続の確実性を確保することができる。
【００１４】
また、本発明においては、上記アンテナ部を、１ターンのループ状アンテナから構成しても良いが、多重巻きコイルから構成するようにすれば（請求項６の発明）、高い通信性能を得ることができる。さらには、各アンテナパターンのうち、少なくとも前記接続部及び被接続部を除いた部分を、前記本体ケースに対する印刷により形成することもでき（請求項７の発明）、アンテナパターンの形成が容易になる。
【発明を実施するための最良の形態】
【００１５】
（１）第１の実施例
以下、本発明を携帯電話機に適用した第１の実施例について、図１ないし図４を参照しながら説明する。図１及び図３は、本実施例に係る非接触通信デバイスたる携帯電話機１の外観を示しており、図１は、二つ折り式の本体ケース２を閉じた（折畳んだ）状態、図３は、本体ケース２を開いた状態を夫々示している。この本体ケース２は、図で上側に位置する第１本体部３と、下側に位置する第２本体部４とをヒンジ部５を介して開閉可能に連結して構成されている。
【００１６】
図示及び詳しい説明は省略するが、前記第１本体部３は、角部が丸みを帯びた薄型矩形箱状をなすケース（外殻）の内面側（図１、図２で下面側）に、例えばカラーＬＣＤからなる表示装置や、音声を出力するためのスピーカを備えている。また、これと共に、第１本体部３の背面側（図１、図２で上面側）には、例えばＣＣＤやＣＭＯＳ等のエリアセンサ（カメラ）がレンズと共に設けられ、さらに、フラッシュとして機能する照明装置や小形の表示部が設けられている。前記表示装置の画面には、メニュー画面や各種の設定画面、必要なメッセージ、エリアセンサによる撮影画像等が表示されるようになっている。尚、この第１本体部３の外殻を構成するケースは、厚み方向に２分割された内面側と背面側との２つの分割ケースを組合せて構成される。
【００１７】
一方、前記第２本体部４は、やはり、角部が丸みを帯びた薄型矩形箱状をなすケース（外殻）を備え、その内面側（図１、図２で上面側）に、キー操作部や、送話音を入力するためのマイクロホンを備えている。前記キー操作部には、数字、文字等のダイヤルキーや、終了／電源キー、開始（着信）キー、各種の機能キー、撮像用のシャッタキー等が設けられている。尚、この第２本体部４の外殻を構成するケースも、厚み方向に２分割された内面側と背面側との２つの分割ケースを組合せて構成される。
【００１８】
前記ヒンジ部５は、前記第１本体部３の図３で下辺部と、第２本体部４の図３で上辺部とを、横方向に延びる軸を中心に相対回動可能に接続するものである。図２及び図４に示すように、本実施例では、このヒンジ部５は、第２本体部４（ケース）に取付けられ、内周側に位置する軸筒部６と、第１本体部３（ケース）に一体的に設けられ前記軸筒部６の外周に相対回動（摺動）可能に設けられる円筒部７とを有して構成されている。
【００１９】
これにて、本体ケース２は、円筒部７が軸筒部６に対して相対回動することによって、図１及び図２に示すような、第１本体部３と第２本体部４との内面同士が重なる折畳み状態と、図３及び図４に示すような、第２本体部４に対して第１本体部３が１８０度に近い角度まで開いた状態との間で形態（姿勢）の変更が可能とされているのである。この場合、主として、携帯電話機１を使用していないときには、本体ケース２が折畳み状態とされることにより、キー操作部や表示装置の保護を図ることができると共に、全体をコンパクトにしておくことがきる。携帯電話機１を使用する（通話やメール等の通信、撮像など）ときには、ユーザが本体ケース２を開いた状態とすることにより、全体が大きく使いやすいものとすることができる。
【００２０】
尚、図示はしないが、本体ケース２（主に第２本体部４）内には、全体の制御を行うマイコン（ＣＰＵ）や、メモリ、音声処理回路、通信処理回路、画像処理回路などが組込まれている。第２本体部４内には、駆動電源となる二次電池等も設けられている。これにて、この携帯電話機１は、移動電話としての通話機能はもとより、それに加えて、電子メール（文字データや画像データ）の送受信の機能、インターネットとの接続機能、デジタルカメラとしての撮像機能などの各種機能を実現するようになっている。
【００２１】
さて、上記携帯電話機１には、リーダライタ（図示せず）との間での電磁波による非接触通信を行う非接触ＩＣカード（電子マネー）の機能が内蔵されるようになっており、そのために、前記本体ケース２内に、ＩＣチップ８及びこのＩＣチップ８に接続されたアンテナ部が組込まれるようになっている。以下、ＩＣチップ８及びアンテナ部の構成について詳述する。尚、図面では、以下に述べる各アンテナパターン９〜１１を、便宜上ハッチングを付して示している。
【００２２】
図１及び図３に示すように、前記第１本体部３内には、ＩＣチップ８及び第１のアンテナパターン９が配設されている。周知のように、前記ＩＣチップ８は、アンテナ部にて受信したリーダライタからの給電用信号から動作電力を生成するための整流・平滑回路、通信等の制御を行うＣＰＵ、送受信信号の変調，復調を行う変復調回路、動作プログラム等を記憶するＲＯＭ、データを記憶する読書き可能なメモリ（ＥＥＰＲＯＭ）等をワンチップ化して構成されている。前記メモリには、加入者情報（ＩＤ）、電子マネー情報などのデータが記憶されている。
【００２３】
前記第１のアンテナパターン９は、例えば細い導線からなり、第１本体部３内の背面側を、ケースの外周部（左右の側辺部及び上辺部）に沿うように、全体としてほぼ逆Ｕ字状に延びて設けられ、第１本体部３内の先端側で前記ＩＣチップ８に接続されている。尚、この第１のアンテナパターン９を設ける際には、第１本体部３を構成する背面側分割ケースの内面部に溝を形成し、この溝内に導線を埋込むように配設することができる。
【００２４】
そして、この第１のアンテナパターン９の両端部は、夫々、前記ヒンジ部５の左右両端部分に位置された接続部９ａとされている。このとき、図２及び図４に示すように、第１のアンテナパターン９の両端の接続部９ａは、ヒンジ部５を構成する円筒部７の内周面に位置され、側面から見て、内周側（軸筒部６側）に丸く凸となるような形状に設けられている。これら接続部９ａは、ばね性を有し、軸筒部６の外周面に弾性的に接触するようになっている。
【００２５】
一方、図１、図２、図４に示すように、前記ヒンジ部５部分には、第２のアンテナパターン１０が設けられる。この第２のアンテナパターン１０は、前記軸筒部６の外周面のうち図２、図４で上側部分に、図１に示すように、軸方向（左右方向）に沿ってほぼ直線状に延びるように設けられている。そして、この第２のアンテナパターン１０の両端部が、前記接続部９ａに対応した（接続可能な）被接続部１０ａとされている。この場合、図２、図４に示すように、前記軸筒部６の外周面には、丸く窪んだ凹部が設けられ、前記被接続部１０ａは、その凹部の底部に沿う凹形状をなしている。
【００２６】
さらに、図２〜図４に示すように、前記第２本体部４内には、前記第２のアンテナパターン１０よりも長い第３のアンテナパターン１１が設けられる。この第３のアンテナパターン１１は、図３に示すように、第２本体部４内の背面側（背面側分割ケースの内面部）を、ケースの外周部（左右の側辺部及び下辺部）に沿うように、全体としてほぼＵ字状に延びて設けられている。
【００２７】
そして、この第３のアンテナパターン１１の両端部は、前記ヒンジ部５の左右両端部分に位置され、前記接続部９ａに対応した（接続可能な）被接続部１１ａとされている。この場合、図２、図４に示すように、前記軸筒部６の外周面のうち図で下部側部分には、丸く窪んだ凹部が設けられ、前記被接続部１１ａは、その凹部の底部に沿う凹形状に設けられている。
【００２８】
これにて、前記本体ケース２の折畳み状態では、図１及び図２に示すように、前記第１のアンテナパターン９と第２のアンテナパターン１０とが接続されることにより、ＩＣチップ８に接続された小径なループ状の第１のアンテナ部１２が構成される。このときには、図２に示すように、凹形状を有する被接続部１０ａに対し、凸形状を有する接続部９ａが弾性的に係合した状態で接続されるようになる。
【００２９】
これに対し、前記本体ケース２を開いた状態では、図３及び図４に示すように、前記第１のアンテナパターン９と第３のアンテナパターン１１とが接続されることにより、ＩＣチップ８に接続された大径なループ状の第２のアンテナ部１３が構成される。このときには、図４に示すように、凹形状を有する被接続部１１ａに対し、凸形状を有する接続部９ａが弾性的に係合した状態で接続されるようになる。
【００３０】
尚、このように携帯電話機１が非接触ＩＣカードの機能を備えることにより、ユーザが、様々な方法で入金（チャージ）することに基づき、決済機能（支払い機能）を実現し、例えばスーパーやコンビニのＰＯＳレジ等において、電子マネーとして使用することが可能とされている。この場合、買い物をしたユーザが、ＰＯＳレジに設けられたリーダライタの読取部に、携帯電話機１を近接させる（かざす）ことにより、代金の支払いを行うことができる。
【００３１】
前記リーダライタは、周知のように、前記携帯電話機１（ＩＣカード）との間での電磁波による電力供給及び通信を行うためのアンテナ、このアンテナに接続された送信回路及び受信回路、それらに接続された通信制御回路などを備えて構成されている。通信制御回路は、送信回路を通じてアンテナに電力信号（高周波）を出力すると共に、アンテナが受けた受信信号を、受信回路を通じて復調しデータとして抽出する。これにて、携帯電話機１のＩＣチップ８に対して電磁波による動作電力の供給が行われると共に、データの通信（読取り及び書込み）が行われるようになっている。
【００３２】
次に、上記構成の作用について述べる。携帯電話機１を電子マネー等のＩＣカードとして使用する場合には、ユーザは、上記のように本体ケース２をリーダライタの読取部にかざす（近接させる）ようにする。すると、リーダライタのアンテナから出力される電力信号（電磁界）を、アンテナ部１２，１３で受けることにより、ＩＣチップ８の駆動用の電力が得られ、リーダライタとの間での通信が行われる。
【００３３】
今、携帯電話機１の本体ケース２を折畳んだ（閉じた）状態では、図２に示すように、第１本体部３の第１のアンテナパターン９の接続部９ａが、ヒンジ部５内において、第２のアンテナパターン１０の被接続部１０ａに弾性的に係合し、図１にも示すように、第１のアンテナパターン９と第２のアンテナパターン１０とが接続される。これにて、比較的小径なループ状の第１のアンテナ部１２が構成され、この第１のアンテナ部１２によって、リーダライタとの間の通信が行われる。
【００３４】
これに対し、ユーザが本体ケース２を開いた状態とすると、図４に示すように、円筒部７（第１本体部３）が、軸筒部６（第２本体部４）に対して１８０度近く相対回動し、ヒンジ部５において、前記第１のアンテナパターン９の接続部９ａが、被接続部１０ａから抜け出して、軸筒部６の外周を摺動し、今度は、第３のアンテナパターン１１の被接続部１１ａに弾性的に係合されるようになる。これにより、図３にも示すように、第１のアンテナパターン９と第３のアンテナパターン１１とが接続される。これにて、大径なループ状の第２のアンテナ部１３が構成され、この第２のアンテナ部１３によって、リーダライタとの間の通信が行われるようになる。
【００３５】
尚、この状態から、ユーザが本体ケース２を閉じた状態とすると、ヒンジ部５において、前記第１のアンテナパターン９の接続部９ａが、被接続部１１ａから抜け出して、軸筒部６の外周を戻り方向に摺動し、第２のアンテナパターン１０の被接続部１０ａに弾性的に係合されるようになる。つまり、ユーザは、本体ケース２の開閉状態を切替えることによって、ループの径の相違するいわば２種類のアンテナ部１２，１３の切替えを自動で行うことができるのである。
【００３６】
ここで、この種の非接触ＩＣカードにあっては、実行する処理によって必要な電力が異なってくる。例えば、ＩＣチップ８に対するデータの書込み処理は、ＩＣチップ８からのデータの読取り処理に比べて大きな電力を必要とする。この場合、アンテナ部の径を大きくすれば、小径のアンテナ部に比べて大きな電力を得ることができる。
【００３７】
従って、ＩＣチップ８に対するデータの書込み処理を行うような場合には、本体ケース２を開いた状態でリーダライタとの間の通信を行うことにより、第２のアンテナ部１３によって、リーダライタから大きな電力を得ることが可能となり、データの書込みに失敗してしまうといったことを未然に防止し、データの書込み処理を良好に行うことができる。また、ＩＣチップ８のデータの読取りだけのような、さほど大きな電力を必要としない場合には、本体ケース２を折畳んだままでも、第１のアンテナ部１２によってリーダライタとの間で通常の通信（データの読取り処理）を行うことができ、利便性を確保することができる。
【００３８】
このように本実施例によれば、二つ折り式の本体ケース２内にＩＣチップ８及びアンテナ部１２，１３を組込んで構成され、リーダライタとの間で非接触通信を行う携帯電話機１にあって、本体ケース２を開いた状態で、第１本体部３の第１のアンテナパターン９と、第２本体部４の第３のアンテナパターン１１とが接続されることにより、どちらか一方の本体部３，４の大きさを越えた大径なループ状の第２のアンテナ部１３を構成することができる。
【００３９】
この結果、大径な第２のアンテナ部１３によってリーダライタから大きな電力を得ることが可能となり、ＩＣチップ８に対するデータの書込み処理などの大きな電力を必要とする処理も良好に行うことができる。そして、データの読取などのさほど大きな電力を必要としない処理については、本体ケース２を閉じたままでも、第１のアンテナ部１２によって行うことが可能となり、利便性を確保することができる。
【００４０】
また、特に本実施例では、ヒンジ部５内に、第１のアンテナパターン９の接続部９ａ、並びに、第２のアンテナパターン１０及び第３のアンテナパターン１１の被接続部１０ａ及び１１ａを配置する構成としたので、比較的簡単な構成で、アンテナパターン９，１０，１１の接続の切替えを実現することができる。さらには、接続部９ａと被接続部１０ａ、１１ａとを、一方が凹、他方が凸となる係合構造とすると共に、それらの係合が弾性的になされるように構成したので、接続の切替えをスムーズに行うことができながらも、接続の確実性を確保することができるといった利点を得ることができる。
【００４１】
（２）第２の実施例、その他の実施例
図５及び図６は、本発明の第２の実施例を示すものであり、以下、上記第１の実施例と異なる点について説明する。この第２の実施例に係る非接触通信デバイスたる携帯電話機２１は、第１本体部２３と第２本体部２４とをヒンジ部２５を介して開閉可能に連結した二つ折り式の本体ケース２２を備えており、ＩＣチップ８（図示省略）及びアンテナ部を組込んで構成されている。また、第１本体部２３には、ＩＣチップ８及び第１のアンテナパターン２６が設けられ、ヒンジ部２５には、第２のアンテナパターン２７が設けられ、第２本体部２４には、第３のアンテナパターン２８が設けられている。
【００４２】
さて、図５（ａ）及び図６（ａ）に示すように、本実施例では、前記ヒンジ部２５は、回動軸方向に並ぶように分割された３つの円筒（円柱）状のヒンジ形成部２９，３０から構成される。即ち、ヒンジ部２５の両端側に位置する外側ヒンジ形成部２９，２９は、第１本体部２３のケースに一体的に設けられている。また、それら外側ヒンジ形成部２９，２９に挟まれた内側ヒンジ形成部３０は、第２本体部２４のケースに一体的に設けられている。
【００４３】
このとき、図示しない枢軸部によって、外側ヒンジ形成部２９，２９は、内側ヒンジ形成部３０に対し、相対的に回動可能に連結されている。これにて、このヒンジ部２５により、本体ケース２２は、図５（ｂ）に示すような、第１本体部２３と第２本体部２４との内面同士が重なる折畳み（閉じた）状態と、図６（ｂ）に示すような、第２本体部２４に対して第１本体部２３が１８０度に近い角度まで開いた状態との間で形態（姿勢）の変更が可能とされているのである。
【００４４】
そして、前記第２のアンテナパターン２７は、図５（ｂ）、図６（ｂ）に示すように、内側ヒンジ形成部３０内の、側面から見て回動中心から上側に偏心した位置において、内側ヒンジ形成部３０内を回動軸方向（左右）に平行に延びて設けられている。このとき、図５（ａ）に示すように、第２のアンテナパターン２７は、内側ヒンジ形成部３０の左右の両端面（外側ヒンジ形成部２９，２９を向く面）に夫々被接続部２７ａ，２７ａを有して（露出させて）構成されている。これら被接続部２７ａ，２７ａは、丸く窪んだ凹形状に設けられている。
【００４５】
また、前記第２本体部２４に設けられる第３のアンテナパターン２８は、図６に示すように、その両端部が、内側ヒンジ形成部３０の左右両側部分の、側面から見て回動中心から下側に偏心した位置（図６（ｂ）参照）まで延びている。そして、図６（ａ）に示すように、その先端が、内側ヒンジ形成部３０の左右の両端面（外側ヒンジ形成部２９，２９を向く面）に夫々露出された被接続部２８ａ，２８ａとされている。これら被接続部２８ａ，２８ａも、やはり丸く窪んだ凹形状に設けられている。
【００４６】
これに対し、前記第１本体部２３に設けられる第１のアンテナパターン２６は、図５（ａ）、図６（ａ）に示すように、その両端部が、夫々外側ヒンジ形成部２９，２９内の側面から見て回動中心から偏心した位置まで延びている。そして、その先端が、各外側ヒンジ形成部２９，２９の内側の面（内側ヒンジ形成部３０を向く面）に露出された接続部２６ａ，２６ａとされている。このとき、両接続部２６ａは、夫々内側ヒンジ形成部３０側に丸く凸となる形状とされ、また、ばね性を有していて内側ヒンジ形成部３０の両側面に弾性的に接触するようになっている。
【００４７】
この構成において、前記本体ケース２２の折畳み状態では、図５に示すように、凹形状を有する被接続部２７ａに対し、凸形状を有する接続部２６ａが弾性的に係合した状態となり、前記第１のアンテナパターン２６と第２のアンテナパターン２７とが接続される。これにより、ＩＣチップ８に接続された小径なループ状の第１のアンテナ部３１が構成される。
【００４８】
これに対し、前記本体ケース２２を開いた状態では、図６に示すように、ヒンジ部２５において、前記第１のアンテナパターン２６の接続部２６ａが、被接続部２７ａから抜け出して、内側ヒンジ形成部３０の両側端面を摺動し、今度は、第３のアンテナパターン２８の被接続部２８ａに弾性的に係合されるようになる。これにより、第１のアンテナパターン２６と第３のアンテナパターン２８とが接続され、大径なループ状の第２のアンテナ部３２が構成される。
【００４９】
従って、この第２の実施例によっても、上記第１の実施例と同様に、大径な第２のアンテナ部３２によってリーダライタから大きな電力を得ることが可能となり、ＩＣチップ８に対するデータの書込み処理などの大きな電力を必要とする処理も良好に行うことができる。そして、データの読取などのさほど大きな電力を必要としない処理については、本体ケース２２を閉じたままでも、第１のアンテナ部３１によって通信が可能となり、利便性を確保することができる。
【００５０】
また、比較的簡単な構成で、アンテナパターン２６，２７，２８の接続の切替えを実現することができる。さらには、接続部２６ａと被接続部２７ａ、２８ａとを、一方が凹、他方が凸となる係合構造とすると共に、それらの係合が弾性的になされるように構成したので、接続の切替えをスムーズに行うことができながらも、接続の確実性を確保することができる。
【００５１】
尚、本発明は上記した各実施例に限定されるものではなく、例えば次のような拡張、変更が可能である。
即ち、上記実施例では、第１，第３のアンテナパターンを導線から構成するようにしたが、例えば、本体部の外殻を構成するケースに印刷によりアンテナパターンを形成することができる。これにより、アンテナパターンの形成をより容易に行うことができ、組付作業等が簡単化される。この場合、接続部や被接続部のみについは、ばね性を付与するために金属線材（板材）を採用し、印刷により形成したアンテナパターンと接続するようにしても良い。ケースに貼られた銅箔から、エッチング等によりアンテナパターンを形成することもできる。
【００５２】
また、アンテナ部を、１ターンのループ状のアンテナから構成するものに限らず、多重巻きコイルから構成しても良く、高い通信性能を得ることができる。但しこの場合、接続部及び被接続部が夫々巻数に応じた複数個設けられることになる。上記実施例では、二つ折り式の携帯電話機のうち、表示装置がある側を第１本体部としたが、キー操作部がある側を第１本体部として、ＩＣチップ及びアンテナパターンを組込むようにしても良い。
【００５３】
その他、接続部と被接続部との係合構造としても、様々な変形が可能であり、この場合、被接続部側（或いは双方）にばね性をもたせるようにしても良い。また、ヒンジ部の構成としても、４つ以上に分割されたヒンジ形成部分を備えるものであっても良く、さらには、携帯電話機に限らず、非接触ＩＣカード機能を備えた二つ折り式の非接触通信デバイス全般に本発明を適用することができる等、本発明は要旨を逸脱しない範囲内で適宜変更して実施し得るものである。
【図面の簡単な説明】
【００５４】
【図１】本発明の第１の実施例を示すもので、本体ケースの折畳み状態の携帯電話機の斜視図
【図２】本体ケースの折畳み状態における要部構成を示す側面図
【図３】本体ケースを開いた状態の携帯電話機の背面側からの斜視図
【図４】本体ケースを開いた状態における要部構成を示す側面図
【図５】本発明の第２の実施例を示すもので、本体ケースの折畳み状態における、ヒンジ部の内部構成を示す上面図（ａ）及び全体の側面図（ｂ）
【図６】本体ケースを開いた状態における、ヒンジ部の内部構成を示す底面図（ａ）及び全体の側面図（ｂ）
【符号の説明】
【００５５】
図面中、１，２１は携帯電話機（非接触通信デバイス）、２，２２は本体ケース、３，２３は第１本体部、４，２４は第２本体部、５，２５はヒンジ部、６は軸筒部、７は円筒部、８はＩＣチップ、９，２６は第１のアンテナパターン、９ａ，２６ａは接続部、１０，２７は第２のアンテナパターン、１０ａ，２７ａは被接続部、１１，２８は第３のアンテナパターン、１１ａ，２８ａは被接続部、１２，１３，３１，３２はアンテナ部、２９は外側ヒンジ形成部、３０は内側ヒンジ形成部を示す。
【図１】
2007324839.tif 000003
【図２】
2007324839.tif 000004
【図３】
2007324839.tif 000005
【図４】
2007324839.tif 000006
【図５】
2007324839.tif 000007
【図６】
2007324839.tif 000008